(57)【特許請求の範囲】
【請求項１】
光ピックアップ(１)の本体部(11)から突出して回路基板(２)、放熱体(４)及び遮光板(５)が取り付けられており、該回路基板(２)はレーザ発光部(12)から発光するレーザパワーが略一定となるように機能し、放熱体(４)は回路基板(２)を包囲して該基板からの発熱を逃がし、遮光板(５)は装置内に配備した赤外線センサー(８)からの光を遮光することによって光ピックアップ(１)がディスクの最外周に対応する位置にないことを検出するために機能し、放熱体(４)と遮光板(５)は一体に形成されていることを特徴とする光ディスク記録又は再生装置。
【請求項２】
放熱体(４)と遮光板(５)は１枚の金属板を曲げ加工して形成され、放熱体(４)は回路基板(２)を包囲して底壁(41)、天井壁(43)、及び左右の側壁(42)(44)を有し、底壁(41)が遮光板(５)に連続している請求項１に記載の光ディスク記録又は再生装置。
【請求項３】
遮光板(５)の一部を延長して放熱体(４)の底壁(41)、一方の側壁(42)、天井壁(43)及び他方の側壁(44)を一体に形成し、該他方の側壁(44)の下端は遮光板(５)の上方に位置し且つ遮光板(５)から浮いて底壁(41)と天井壁(43)の空間高さは該側壁(44)側が正規寸法より大きくなる様に形成され、遮光板(５)から浮いた側壁(44)の下端は矯正して遮光板(５)に当てて接合され、回路基板(２)と天井壁(43)との間及び回路基板(２)と底壁(41)との間に放熱シート(７)(７)が挟圧状態に介装されている請求項２に記載の光ディスク記録又は再生装置。
【発明の詳細な説明】
【０００１】
【発明の属する分野】
本発明は、光ディスクにレーザを照射して情報の記録再生を行うための光ディスク記録又は再生装置(以下、「記録再生装置」と言う)に関するものである。
【０００２】
【従来の技術】
図４、図５に示す如く、記録再生装置の光ピックアップ(１)は、本体部(11)上にレーザ発光部(12)、該レーザ発光部(12)からの光を集光させる対物レンズ(14)、その集光した光束がディスク(９)で反射することにより変調された光を検出し電気信号に変換し出力するセンサー(13)を具え、レーザのパワーが略一定となるようコントロールする回路基板(２)を本体部(11)の側面から突出して設けている。
回路基板(２)は、本体部(11)に固定された放熱体(40)によって包囲されている。
本体部(11)には回路基板(２)の下方に取付け片(16)が突設され、該取付け片(16)に遮光板(50)がビス(51)止めされている。
光ピックアップ(１)は、ガイド軸(６)(61)に案内されディスク(９)と平行な面内でディスクの半径方向に移動して、情報の記録又は再生を行う。
【０００３】
記録再生装置は、光ピックアップ(１)からディスク(９)にレーザを照射するのであるが、そのレーザパワーは使用するディスク毎に微妙に異なり、その性能を充分発揮させるにはそのディスクに最適なパワーに設定する必要がある。そのデータはコントロールデータと呼ばれており、ディスクの外周部に近い位置に記録されている。又、使用するディスクが正規の規格に基づいた製品であること等が記録されているセキュリティデータも、ディスクの外周部に近い位置に記録されている。
【０００４】
記録再生装置は、情報を読み書きする前に、先ず上記コントロールデータとセキュリティデータを再生する必要があるため、光ピックアップ(１)をディスク最外周付近に移動させなければならない。正確に移動させるには光ピックアップ(１)の位置を検出する必要がある。
そのための手段として前記遮光板(50)があり、記録再生装置のメカニズム上に配備した赤外線センサー(８)からの光を遮光板(50)が遮光している状態では、光ピックアップ(１)はディスク(９)の最外周に位置しておらず、遮光されていない状態で最外周に位置していると判断している。
【０００５】
他方、光ピックアップ(１)は、前記の如く、レーザパワーが略一定となるよう回路基板(２)でコントロールされる。しかし、該回路基板(２)は、周囲の温度が変化することによりレーザのパワーに変化(パワードリフト)が生じ、その結果、再生信号に劣化を招来する。
【０００６】
熱の発生源として回路基板(２)自身を挙げることができる。回路基板(２)のオートパワーコントロール集積回路(ＡＰＣ ＩＣ)が駆動時に発熱するためである。
そこで、回路基板(２)を前記放熱体(40)で包囲し、回路基板(２)で発生した熱を放熱させている。
放熱体(40)は、底壁(41)、側壁(42)及び天井壁(43)にて断面コ字状に形成され、底壁(41)と天井壁(43)との間に放熱シート(７)(７)を介して回路基板(２)を挟み、天井壁(43)に設けた取付け突片(47)を本体部(11)の上面に重ねてビス(48)で固定される。
【０００７】
放熱シート(７)は、回路基板(２)で発生した熱を放熱体(40)に伝え放熱させるために放熱体(40)の底壁(41)及び天井壁(43)を可及的に回路基板(２)に近接させ且つ放熱体(40)と回路基板(２)との間のショートを防止するために配備されており、放熱体(40)を回路基板(２)に被せる前に、放熱体(40)の底壁(41)と天井壁(43)の内面に貼着される。
【０００８】
【発明が解決しようとする課題】
上記放熱体(40)は、取付け突片(47)を介して本体部(11)に熱を伝え、本体部(11)からも放熱させるが、取付け突片(47)と本体部(11)の接触面積が小さいため、本体部(11)は放熱部材として有効に機能していない。
【０００９】
前記放熱シート(７)は、一般的にはゲル状の絶縁性シリコーンシートを用い、該シート(７)は回路基板(２)との滑りが悪いため、放熱体(40)は底壁(41)と天井壁(43)との間の自由端側の開口高さを正規寸法よりも少し大きくしておき、放熱体(40)を回路基板(２)に被せる際に、放熱シート(７)と回路基板(２)との接触を防止している。
放熱体(40)を回路基板(２)に被せた後に、放熱体(40)の底壁(41)と天井壁(43)の自由端側を閉じる様に放熱体(40)の曲げを矯正する。
ところが、放熱体(40)の弾性により開口部が開く方向に戻ってしまい、その結果、回路基板(２)と放熱シート(７)と密着性が悪くなり放熱効果が下がってしまう。
【００１０】
本発明は、上記問題を解決できる光ピックアップを具えた記録再生装置を提供するものである。
【００１１】
【課題を解決する手段】
本発明の記録再生装置は、光ピックアップ(１)の本体部(11)から突出して回路基板(２)、放熱体(４)及び遮光板(５)が取り付けられており、該回路基板(２)はレーザ発光部(12)から発光するレーザのパワーが略一定となるように機能し、放熱体(４)は回路基板(２)を包囲して該基板からの発熱を逃がす。遮光板(５)は装置内に配備した赤外線センサー(８)からの光を遮光することでによって、光ピックアップ(１)がディスクの最外周に対応する位置にないことを検出するために機能し、放熱体(４)と遮光板(５)は一体に形成されていることを特徴とする。
【００１２】
具体的には、１枚の金属板を曲げ加工して放熱体(４)と遮光板(５)が形成され、放熱体(４)は回路基板(２)を包囲して底壁(41)、天井壁(43)、及び左右の側壁(42)(44)を有し、底壁(41)を遮光板(５)に連続させている。
【００１３】
更に具体的には、遮光板(５)は、放熱体(４)の底壁(41)、一方の側壁(42)、天井壁(43)及び他方の側壁(44)と一体に連続する。該他方の側壁(44)の下端は、遮光板(５)の上方に位置し且つ遮光板(５)から浮いて底壁(41)と天井壁(43)の空間高さが、該側壁(44)側が正規寸法より大きくなる様に形成され、遮光板(５)から浮いた側壁(44)の下端は矯正して遮光板(５)に当接して接合され、回路基板(２)と天井壁(43)との間及び回路基板(２)と底壁(41)との間に放熱シート(７)(７)を挟圧状態に介装している。
【００１４】
【作用及び効果】
回路基板(２)を包囲した放熱体(４)は遮光板(５)と一体に形成されているため、回路基板(２)の発熱は、放熱体(４)のみならず遮光板(５)からも放熱され、回路基板(２)の温度上昇は効果的に抑えることができ、パワードリフトを小さくできる。
【００１５】
１枚の金属板を屈曲して遮光板(５)と放熱体(４)を形成でき、製作が容易でコストを低減できる。
【００１６】
遮光板(５)から放熱体(４)の底壁(41)、一方の側壁(42)、天井壁(43)及び他方の側壁(44)を連続させ、該他方の側壁(44)の下端は遮光板(５)の上方にて該遮光板(５)から浮かせ、底壁(41)と天井壁(43)の空間高さは、該側壁(44)側が正規寸法よりも大きくなる様に形成すれば、底壁(41)と天井壁(43)の内面に放熱シート(７)(７)を接着してから、底壁(41)、天井壁(43)及び両側壁(42)(44)の間に回路基板(２)が嵌まる様に放熱体(４)を回路基板(２)に被せる際、滑りの悪い放熱シート(７)(７)と回路基板(２)との接触を防止でき、作業性がよい。
【００１７】
放熱体(４)を回路基板(２)に被せた後、遮光板(５)から浮いた状態の側壁(44)を矯正して遮光板(５)に当てて半田付け(46)し、回路基板(２)と底壁(61)の間、及び回路基板(２)と天井壁(63)の間に配備した放熱シート(７)(７)を挟圧すれば、該放熱シート(７)(７)の挟圧状態が保持され、放熱効果が低下することはない。
【００１８】
【実施の形態】
図１乃至図３において、従来例で示した図４、図５と同一の構成部品には同一の符号を付して、説明を省略する。
本発明が従来例と異なるのは、アルミニュームダイキャスト製本体部(11)の下面に突設した遮光板(５)上に、回路基板(２)を包囲する放熱体(４)を一体に形成した点である。
【００１９】
遮光板(５)と放熱体(４)は、厚み約０.３mmの金属板の打抜き加工と曲げ加工によって形成されている。
遮光板(５)は略矩形で一方の側縁の先端側に補強リブ(52)を上向きに具えている。遮光板(５)の基端には、位置決め孔(53)とビス挿通孔(54)を有している。
【００２０】
放熱体(４)は、光ピックアップ(１)の本体部(11)側面から突出した回路基板(２)を包囲しており、底壁(41)、天井壁(43)及び左右の側壁(42)(44)を有している。
放熱体(４)の底壁(41)は、遮光板(５)の前記補強リブ(52)とは反対側の側縁の基端側から一体に延びており、内側の側壁(44)は、遮光板(５)の上方に位置し且つ遮光板(５)から少し浮いて離れている。
外側の側壁(42)は、放熱体(４)の基端側の補強リブの役割も果たす。
底壁(41)と天井壁(43)の空間高さは、放熱体(４)とのショートを防止するため回路基板(２)の全高さより1mm弱大きいが、遮光板(５)上の側壁(44)が遮光板(５)から浮いている分だけ空間高さは正規寸法より大きくなっている。
遮光板(５)から浮いている側壁(44)の下端に外向きに接続片(45)が屈曲形成されている。
底壁(41)と天井壁(43)は、回路基板(２)がはみ出ることなく収納される大きさに形成され、該底壁(41)と天井壁(43)の内面に放熱シート(７)(７)が貼着される。
【００２１】
放熱シート(７)(７)は、表面に保護フィルム(図示せず)が被さった厚み０.５mm強程度の市販の絶縁性ゲル状シリコーンシートであって、回路基板(２)に完全に被さり且つ放熱体(４)の底壁(41)及び天井壁(43)よりも少し小さい矩形にカットされている。保護フィルムを剥がして放熱シート(７)(７)自身の粘着性により放熱体(４)の底壁(41)と天井壁(43)に接着される。
【００２２】
然して、本体部(１)から臨出した回路基板(５)に対して、放熱体(４)を遮光板(５)の基端側開口から被せる。
放熱体(４)は、底壁(41)と天井壁(43)の空間高さが正規寸法よりも開いているため、底壁(41)と天井壁(43)に貼着した滑りの悪い放熱シート(７)が回路基板(２)に当たることを防止でき、作業性が向上する。
【００２３】
遮光板(５)の位置決め孔(53)を本体部(11)の下面に突設した突起(17)に嵌め、ビス挿通孔(54)からビス(51)を本体部(11)に螺合して遮光板(５)を固定する。
放熱体(４)の天井壁(43)を遮光板(５)側に押さえて、側壁(44)の下端を遮光板(５)に当接させ、接続片(45)を遮光板(５)に半田付け(46)する。
放熱シート(７)は、回路基板(２)と底壁(41)及び天井壁(43)によって挟圧される。
遮光板(５)に半田付け(46)された側壁(44)は、遮光板(５)の補強リブの役割も果たす。
【００２４】
上記の如く、放熱体(４)を遮光板(５)上に一体に形成することにより、放熱体(４)の熱が遮光板(５)に伝わって放熱効果が上がり、パワードリフトを小さくできる。
【００２５】
又、放熱体(４)の側壁(44)を遮光板(５)に半田付け(46)することにより、側壁(44)が金属板の曲げの弾性復帰により、遮光板(５)から浮き上がることはなく、放熱シート(７)(７)を介して放熱体(４)の底壁(41)と天井壁(43)は回路基板(２)に夫々密接した状態を保持でき、放熱効果の低下を防止できる。
【００２６】
上記実施例では、遮光板(５)を本体部(11)にビス(51)止めするだけであるから、従来の様に遮光板(50)と放熱体(40)を別個に本体部(11)にビス止めすることに較べて取り付け作業性が良い。
【００２７】
遮光板(５)の基端側は放熱体(４)の両側壁(42)(44)が補強リブとなるため、薄い手の金属板で形成でき、曲げ加工が容易である。
【００２８】
尚、本発明において、放熱体(４)の天井壁(43)を本体部(11)側に延ばし、該天井壁を本体部(11)にビス止め固定することもでき、この場合、遮光板(５)と天井壁(43)の両方を本体部(11)にビス止めすることも、或いは遮光板(５)のビス止めを省略することもできる。
【００２９】
更に、遮光板(５)の下方に放熱体(４)を一体形成し、遮光板(５)を本体部(11)の上面にビス(51)止め固定することもできる。
【００３０】
本発明は、上記実施例の構成に限定されることはなく、特許請求の範囲に記載の範囲で種々の変形が可能である。
【図面の簡単な説明】
【図１】光ピックアップ装置の平面図である。
【図２】図１Ａ−Ａ線に沿う断面図である。
【図３】放熱板を分解した状態の斜面図である。
【図４】従来例の平面図である。
【図５】図４Ｂ−Ｂ線に沿う断面図である。
【符号の説明】
(１)  光ピックアップ
(11)  本体部
(２)  回路基板
(４)  放熱体
(41)  底壁
(42)  側壁
(43)  天井壁
(44)  側壁
(46)  半田付け
(７)  放熱シート
【図１】
0003650002.tif 000002
【図２】
0003650002.tif 000003
【図３】
0003650002.tif 000004
【図４】
0003650002.tif 000005
【図５】
0003650002.tif 000006